(57)【要約】【課題】画像形成媒体に対し常にその画像形成媒体に適応した二次転写電圧を印加する二次転写部を備えた電子写真方式の画像形成装置を提供する。【解決手段】感光ドラム１７と一次転写ローラ２８により中間転写ベルト２４上に転写されたトナー像は二次転写ローラ３６と従動ローラ２６とが対向する二次転写部へ搬送され矢印ａで示す搬送路に沿って搬送される用紙に転写される。このとき待機搬送ローラ対３５の位置の用紙端部の抵抗値（電気抵抗値）と給送ローラ３３の位置の用紙の抵抗値を媒体抵抗検出回路４９が測定し、制御部５０はその測定情報に基づいて２点間の平均抵抗値を算出して現在搬送中の用紙の抵抗値として決定し、その決定した抵抗値に対応する最適な二次転写電圧を記憶部５２のテーブルから選択して、その二次転写電圧を二次転写電圧発生回路５１、二次転写ローラ３６を介して二次転写部を通過する用紙に印加する。【選択図】      図２
2009192643.tif 000002
【特許請求の範囲】
【請求項１】
像担持体上に形成したトナー画像を中間転写部材に一次転写し、この一次転写したトナー画像を二次転写部において前記中間転写部材から搬送中の画像形成媒体に二次転写する画像形成装置において、
前記搬送中の画像形成媒体の抵抗値を前記二次転写部の位置より画像形成媒体搬送方向上流の複数箇所でそれぞれ検出する複数の媒体抵抗値検出手段と、
複数の前記媒体抵抗値検出手段により検出された前記搬送中の画像形成媒体の抵抗値の平均値を算出し、この算出した平均抵抗値を前記搬送中の画像形成媒体の抵抗値とする媒体抵抗値決定手段と、
各種画像形成媒体の抵抗値と該抵抗値に対応する二次転写電圧との関係を示す二次電圧出力テーブルを記憶するテーブル記憶手段と、
前記媒体抵抗値決定手段により決定された前記抵抗値に対応する二次転写電圧を前記テーブル記憶手段に記憶されている前記二次電圧出力テーブルから選択する二次転写電圧選択手段と、
該二次転写電圧選択手段により選択された前記二次転写電圧を前記搬送中の画像形成媒体に対し前記二次転写部において印加する電圧印加手段と、
を備えたことを特徴とする画像形成装置。
【請求項２】
印字装置内の温湿度情報を検出する温湿度情報検出手段と、
該温湿度検出手段により検出された前記温湿度情報を前記二次転写電圧選択手段により選択された前記二次転写電圧に加味して該温湿度情報が加味された前記二次転写電圧を前記電圧印加手段が前記搬送中の画像形成媒体に対して印加する二次転写電圧として決定する印加電圧決定手段と、
を更に有することを特徴とする請求項１記載の画像形成装置。
【発明の詳細な説明】
【技術分野】
【０００１】
本発明は、画像形成媒体に対し常にその画像形成媒体に適応した二次転写電圧を印加する二次転写部を備えた電子写真方式の画像形成装置に関する。
【背景技術】
【０００２】
従来、トナーを用い電子写真方式でカラー画像を印刷（以下、印字又は画像形成ともいう）する画像形成装置がある。トナーを用いるカラー印刷では、用紙の１頁に対して、マゼンタ（Ｍ）、シアン（Ｃ）、イエロー（Ｙ）の各色と、画像の黒色部分や文字等に専用されるブラック（Ｋ）の合計４色のトナー画像が重ねて転写される。
【０００３】
４色のトナー画像を重ねて転写された画像形成媒体としての用紙等の転写媒体は、定着装置において熱と圧力を加えられて紙面にカラー画像を定着される。
【０００４】
上記のトナー画像を転写媒体に転写するに際しては、像担持体としての例えば感光体ドラム等から直接転写媒体に転写するものと、像担持体から一旦中間転写体に転写してからこの一次転写画像を中間転写体から転写媒体に二次転写する中間転写方式の画像形成装置が知られている。
【０００５】
このような中間転写方式の画像形成装置は、中間転写体としては例えば中間転写ベルトを用い、この中間転写ベルト上の一次転写画像を二次転写部において転写媒体に二次転写して転写媒体上に画像を得ている。
【０００６】
このように、中間転写ベルト上に一次転写されたトナー像を転写媒体に二次転写するには、二次転写部において転写媒体に対し例えば二次転写ローラ等により二次転写電圧を印加する。
【０００７】
このとき転写媒体に印加された二次転写電圧が、その転写媒体に適した二次転写電圧でないと、転写媒体に良好な画像が形成されない。従来、転写媒体に形成される画像の良し悪しは画像形成装置内部の温湿度に影響されることが判明している。
【０００８】
そのため、良好な画像を形成するための二次転写電圧の決定方法としては、画像形成装置内の温湿度を温湿度検知装置等により検知して、この検知により得られた温湿度情報に応じて二次転写電圧を可変させるようにした画像形成装置が開示されている。（例えば、特許文献１参照。）
【特許文献１】特開２０００−１４７９２４号公報
【発明の開示】
【発明が解決しようとする課題】
【０００９】
しかしながら、特許文献１のような従来の画像形成装置に於ける二次転写電圧の制御方法では、上述したように画像形成装置内の温湿度情報に基づいて二次転写電圧を可変させていたので、厚さや材質が異なる毎に電気抵抗値が異なる転写媒体に対して、その電気抵抗値の変化に応じた調節が出来ない。このため、二次転写電圧の制御を最適化出来ないという問題があった。
【００１０】
本発明の課題は、上記従来の実情に鑑み、画像形成媒体に対し常にその画像形成媒体に適応した二次転写電圧を印加する二次転写部を備えた電子写真方式の画像形成装置を提供することである。
【課題を解決するための手段】
【００１１】
本発明の画像形成装置は、像担持体上に形成したトナー画像を中間転写部材に一次転写し、この一次転写したトナー画像を二次転写部において上記中間転写部材から搬送中の画像形成媒体に二次転写する画像形成装置において、上記搬送中の画像形成媒体の抵抗値を上記二次転写部の位置より画像形成媒体搬送方向上流の複数箇所でそれぞれ検出する複数の媒体抵抗値検出手段と、複数の上記媒体抵抗値検出手段により検出された上記搬送中の画像形成媒体の抵抗値の平均値を算出し、この算出した平均抵抗値を上記搬送中の画像形成媒体の抵抗値とする媒体抵抗値決定手段と、各種画像形成媒体の抵抗値と該抵抗値に対応する二次転写電圧との関係を示す二次電圧出力テーブルを記憶するテーブル記憶手段と、上記媒体抵抗値決定手段により決定された上記抵抗値に対応する二次転写電圧を上記テーブル記憶手段に記憶されている上記二次電圧出力テーブルから選択する二次転写電圧選択手段と、該二次転写電圧選択手段により選択された上記二次転写電圧を上記搬送中の画像形成媒体に対し上記二次転写部において印加する電圧印加手段と、を備えて構成される。
【００１２】
この画像形成装置において、印字装置内の温湿度情報を検出する温湿度情報検出手段と、該温湿度検出手段により検出された上記温湿度情報を上記二次転写電圧選択手段により選択された上記二次転写電圧に加味して該温湿度情報が加味された上記二次転写電圧を上記電圧印加手段が上記搬送中の画像形成媒体に対して印加する二次転写電圧として決定する印加電圧決定手段と、を更に有するように構成することもできる。
【発明の効果】
【００１３】
本発明においては、画像形成媒体の抵抗値測定箇所を二次転写部の位置より画像形成媒体搬送方向上流の複数箇所とし、その平均抵抗値に応じた二次転写電圧を選択して印加するようにしたことにより、抵抗値が異なる画像形成媒体に対して最適化した二次転写電圧を印加する二次転写部を備えた電子写真方式の画像形成装置を提供することが可能となる。
【発明を実施するための最良の形態】
【００１４】
以下、本発明の実施の形態を図面に基づいて詳細に説明する。
（実施形態１）
【００１５】
図１は、実施形態１における二次転写部を備えたカラー画像形成装置（以下、単にプリンタという）の内部構成を説明する断面図である。
【００１６】
図１に示すプリンタ１０は、電子写真方式で二次転写方式のタンデム型のカラー画像形成装置であり、画像形成部１２、中間転写ベルトユニット１３、給紙部１４、及び両面印刷用搬送ユニット１５で構成されている。
【００１７】
上記画像形成部１２は、同図の右から左へ４個の画像形成ユニット１６（１６Ｍ、１６Ｃ、１６Ｙ、１６Ｋ）を多段式に並設した構成からなる。
【００１８】
上記４個の画像形成ユニット１６のうち上流側（図の右側）の３個の画像形成ユニット１６Ｍ、１６Ｃ及び１６Ｙは、それぞれ減法混色の三原色であるマゼンタ（Ｍ）、シアン（Ｃ）、イエロー（Ｙ）の色トナーによるモノカラー画像を形成し、画像形成ユニット１６Ｋは、主として画像の暗黒部分や文字等に用いられるブラック（Ｋ）トナーによるモノクロ画像を形成する。
【００１９】
上記の各画像形成ユニット１６は、トナー容器（トナーカートリッジ）に収納されたトナーの色を除き全て同じ構成である。したがって、以下ブラック（Ｋ）用の画像形成ユニット１６Ｋを例にしてその構成を説明する。
【００２０】
画像形成ユニット１６は、最下部に感光体ドラム１７を備えている。この感光体ドラム１７は、その周面が例えば有機光導電性材料で構成されている。この感光体ドラム１７の周面近傍を取り巻いて、クリーナ１８、帯電ローラ１９、光書込ヘッド２１、及び現像器２２の現像ローラ２３が配置されている。
【００２１】
現像器２２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００２２】
また、現像器２２の下部には側面開口部に上述した現像ローラ２３を備え、内部にトナー撹拌部材、現像ローラ２３にトナーを供給するトナー供給ローラ、現像ローラ２３上のトナー層を一定の層厚に規制するドクターブレード等を備えている。
【００２３】
中間転写ベルトユニット１３は、本体装置のほぼ中央で図の左右のほぼ端から端まで扁平なループ状になって延在する無端状の中間転写ベルト２４と、この中間転写ベルト２４を掛け渡されて中間転写ベルト２４を図の反時計回り方向に循環移動させる駆動ローラ２５と従動ローラ２６を備えている。
【００２４】
上記の中間転写ベルト２４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００２５】
この中間転写ベルトユニット１３は、上記扁平なループ状の中間転写ベルト２４のループ内にベルト位置制御機構２７を備えている。ベルト位置制御機構２７は、中間転写ベルト２４を介して感光体ドラム１７の下部周面に押圧する導電性発泡スポンジから成る一次転写ローラ２８を備えている。
【００２６】
ベルト位置制御機構２７は、マゼンタ（Ｍ）、シアン（Ｃ）及びイエロー（Ｙ）の３個の画像形成ユニット１６Ｍ、１６Ｃ及び１６Ｙに対応する３個の一次転写ローラ２８を鉤型の支持軸を中心に同一周期で回転移動させる。
【００２７】
そして、ベルト位置制御機構２７は、ブラック（Ｋ）の画像形成ユニット１６Ｋに対応する１個の一次転写ローラ２８を上記３個の一次転写ローラ２８の周期と異なる回転移動周期で回転移動させて中間転写ベルト２４を感光体ドラム１７から離接させる。
【００２８】
すなわち、ベルト位置制御機構２７は、中間転写ベルトユニット１３の中間転写ベルト２４の位置を、フルカラーモード（４個全部の一次転写ローラ２８が中間転写ベルト２４に当接）、モノクロモード（画像形成ユニット１６Ｋに対応する一次転写ローラ２８のみが中間転写ベルト２４に当接）、及び全非転写モード（４個全部の一次転写ローラ２８が中間転写ベルト２４から離れる）に切換える。
【００２９】
上記の中間転写ベルトユニット１３には、上面部のベルト移動方向最上流側の画像形成ユニット１６Ｍの更に上流側に、ベルトクリーナユニットが配置され、下面部のほぼ全面に沿い付けるように平らで薄型の廃トナー回収容器２９が着脱自在に配置されている。
【００３０】
給紙部１４は、上下２段に配置された２個の給紙カセット３１を備え、これら２個の給紙カセット３１には、図には示していないが、画像形成媒体としての多枚数の用紙が収容されている。
【００３１】
そして、２個の給紙カセット３１の給紙口（図の右方）近傍には、それぞれ用紙取出ローラ３２、給送ローラ３３、捌きローラ３４、待機搬送ローラ対３５が配置されている。
【００３２】
待機搬送ローラ対３５の用紙搬送方向（図の鉛直上方向）には、中間転写ベルト２４を介して従動ローラ２６に圧接する二次転写ローラ３６が配設されて、用紙への二次転写部を形成している。
【００３３】
この二次転写部の下流（図では上方）側にはベルト式定着装置３７が配置されて、ベルト式定着装置３７の更に下流側には、定着後の用紙をベルト式定着装置３７から搬出する搬出ローラ対３８、及びその搬出される用紙を装置上面に形成されている排紙トレー３９に排紙する排紙ローラ対４１が配設されている。
【００３４】
両面印刷用搬送ユニット１５は、上記搬出ローラ対３８と排紙ローラ対４１との中間部の搬送路から図の右横方向に分岐した開始返送路４２ａ、それから下方に曲がる中間返送路４２ｂ、更に上記とは反対の左横方向に曲がって最終的に返送用紙を反転させる終端返送路４２ｃ、及びこれらの返送路の途中に配置された４組の返送ローラ対４３ａ、４３ｂ、４３ｃ、４３ｄを備えている。
【００３５】
上記終端返送路４２ｃの出口は、給紙部１４の下方の給紙カセット３１に対応する待機搬送ローラ対３５への搬送路に連絡している。
【００３６】
また、本例において中間転写ベルトユニット１３の上面部には、クリーニング部４５及び取り込みローラ４６が配置されている。
【００３７】
クリーニング部４５は、中間転写ベルト２４の上面に当接して廃トナーを擦り取って除去し、取り込みローラ４６はクリーニング部４５が除去した廃トナーを引き継いで、図示を省略したベルトクリーナユニットの一時貯留部に溜め込み、その溜め込まれた廃トナーを搬送スクリューにより落下筒内を上部まで搬送し、落下筒を介して廃トナー回収容器２９に送り込んでいる。
【００３８】
また、上記のクリーニング部４５を適度の圧力で中間転写ベルト２４に圧接させるために、中間転写ベルトユニット１３側には、下方から中間転写ベルト２４をクリーニング部４５に向けて押圧する押圧ローラ４７が設けられている。
【００３９】
図１に示すように、この画像形成装置１は、従来の用紙に直接トナー像を転写する方式ではなく、待機搬送ローラ対３５により二次転写部まで鉛直方向に搬送される用紙に中間転写ベルト２４を介してトナー像を転写する方式となっている。
【００４０】
したがって、用紙の搬送路に発生する用紙ジャム等の不具合を回復するメンテナンス処理時には、図１の右側を開放するのみで対処できるようになっている。
【００４１】
そして、用紙ジャム等の不具合はキット類の配設部では発生しないので、図１の左側に集中するキット類などの消耗品の着脱の操作は、長手方向に入れ替え操作するだけの小さなスペースで良いように構成されている。
【００４２】
これにより、キット間の寸法は、可及的に縮小されており、装置本体全体の小型化が図られている。また、光書込みヘッド自体も小型化され、感光体ドラムに、より近接している構成となっている。
【００４３】
図２は、実施形態１における構成のプリンタにおける二次転写の機能を説明するための二次転写部近傍の構成を模式的に簡略に示す図である。尚、図２には図１と同一構成部分には図１と同一の番号を付与して示している。
【００４４】
図２に示すように、４個の一次転写ローラ２８は、一次転写電圧発生回路４８に接続されている。また、待機搬送ローラ対３５と給送ローラ３３は媒体抵抗検出回路４９に接続されている。また、二次転写ローラ３６は二次転写電圧発生回路５１に接続されている。これら一次転写電圧発生回路４８、媒体抵抗検出回路４９、及び二次転写電圧発生回路５１は制御部５０に接続されている。
【００４５】
感光ドラム１７と一次転写ローラ２８に上部循環面を挟接されて配置された中間転写ベルト２４上には、制御部５０の制御の元に、一次転写電圧発生回路４８から一次転写ローラ２８を介して印加された一次転写電圧によりトナー像が転写される。
【００４６】
中間転写ベルト２４に転写されたトナー像は、中間転写ベルト２４の循環移動により、二次転写ローラ３６と従動ローラ２６とが中間転写ベルト２４を介して対向して圧接する二次転写部へと搬送される。
【００４７】
一方、図１に示す用紙取出ローラ３２により給紙カセット３１から取り出された画像形成媒体としての用紙は、給送ローラ３３と捌きローラ３４に挟持されて、図２に矢印ａで示す搬送路に沿って搬送され、待機搬送ローラ対３５により挟接保持されて一時停止したのち、転写タイミングに合わせて二次転写部に送り込まれる。
【００４８】
このとき、待機搬送ローラ対３５により挟接保持された用紙端部の電気抵抗値（以下、単に抵抗値という）が媒体抵抗検出回路４９により測定される。更にこれと平行して、待機搬送ローラ対３５よりも上流に位置する給送ローラ３３の位置においても、給送ローラ３３と捌きローラ３４に挟持された部分の用紙の抵抗値が媒体抵抗検出回路４９により測定される。
【００４９】
これら２箇所で測定された抵抗値の情報は、媒体抵抗検出回路４９から制御部５０に通知される。制御部５０は、これら２箇所で測定された抵抗値の情報に基づいて、その測定した２点間の平均抵抗値を算出する。そして、その算出した平均抵抗値を、現在搬送中の用紙の抵抗値であると決定する。
【００５０】
上記の制御部５０には、所定の記憶装置を備えた記憶部５２が接続されている。この記憶部５２のテーブル記憶手段としての所定の記憶領域には、特には図示しないが、各種の用紙の平均抵抗値と、それらの平均抵抗値に応じて予め実験等により求めた最適な二次転写電圧との関係を示す二次電圧出力テーブルが記憶されている。
【００５１】
制御部は、上記決定された抵抗値（平均抵抗値）に対応する最適な二次転写電圧を、記憶部５２の二次電圧出力テーブルに予め登録されている二次転写電圧の中から選択する。そして、その選択した二次転写電圧を二次転写電圧発生回路５１に通知する。
【００５２】
二次転写電圧発生回路５１は、制御部５０から通知された二次転写電圧を生成して、その生成した二次転写電圧を、二次転写ローラ３６に出力する。この二次転写電圧は、二次転写ローラ３６を介して二次転写部を通過する用紙に印加される。
【００５３】
このように搬送中の用紙に最適の二次転写電圧が印加されることにより、用紙の種類が変わっても、用紙には常に高い品質の画像を形成することができる。
【００５４】
図３は、上記実施形態１におけるプリンタの二次転写部における画像形成媒体への二次転写電圧印加の動作を説明するフローチャートである。
【００５５】
図３において、先ず図１に示す用紙取出ローラ３２、給送ローラ３３、及び捌きローラ３４の協働により、画像形成媒体としての用紙の搬送が開始される（ステップＳ１）。
【００５６】
そして、その用紙が待機搬送ローラ対３５により挟接保持される待機位置に到達したか否かが判別される（ステップＳ２）。この処理では、制御部５０が、用紙の搬送開始からの給送ローラ３３の回転数を、給送ローラ３３に取り付けられている不図示のエンコーダの出力信号を監視することによって行われる。
【００５７】
尚、この処理では、エンコーダの出力信号を監視することに限ることなく、単に用紙の搬送開始からの時間を計測して、搬送の進行状態を認識するようにしてもよい。待機搬送ローラ対３５の上流側近傍に用紙センサを配置し、用紙センサにより用紙先端位置を検出することによって待機位置到達を認識するようにしてもよい。
【００５８】
そして用紙が待機位置に到達していないときは（Ｓ２がＮｏ）、待機位置に到達するまで繰り返し待機し、用紙が待機位置へ到達したときは（Ｓ２がＹｅｓ）、制御部５０は、媒体抵抗検出回路４９に制御して、先ず、待機搬送ローラ対３５の位置における用紙の抵抗値を測定する（ステップＳ３）。
【００５９】
続いて、制御部５０は、同じく媒体抵抗検出回路４９に制御して、給送ローラ３３の位置における用紙の抵抗値を測定する（ステップＳ４）。
【００６０】
次に、制御部５０は、上記待機搬送ローラ対３５の位置で測定した用紙の抵抗値と、給送ローラ３３の位置で測定した用紙の抵抗値との平均値を算出する（ステップＳ５）。
【００６１】
そして、制御部５０は、上記算出した抵抗値の平均値を、現在搬送中の用紙に対する最適な二次転写電圧に対応する抵抗値であると決定する。
【００６２】
続いて、制御部５０は、記憶部５２の二次電圧出力テーブルを参照して、そのテーブルの二次転写電圧の中から、上記決定した抵抗値に対応する二次転写電圧を選択し、その選択した二次転写電圧を、現在搬送中の用紙に対して最適な二次転写電圧として出力すべき出力電圧であると決定する（ステップＳ６）。
【００６３】
そして、制御部５０は、その決定した出力電圧を二次転写電圧として設定し、その設定した二次転写電圧の情報を二次転写電圧発生回路５１に通知する（ステップ７）。
【００６４】
これにより、二次転写電圧発生回路５１において制御部５０から通知された二次転写電圧が生成され、その生成された二次転写電圧が、二次転写ローラ３６に出力されて、二次転写ローラ３６から二次転写部通過中の用紙に印加される。
【００６５】
（実施形態１の変形例）
上記の実施形態１では、用紙の抵抗値測定を複数箇所（実施例では２箇所）で行い、その平均値に応じて二次転写用の出力電圧値を決定したが、二次転写用電圧値に、この画像形成装置内に設置された温湿度検知装置からの温湿度情報を加味して、二次転写電圧発生回路５１から出力する二次転写用電圧値として決定するようにしても良い。
【００６６】
（実施形態２）
図４は、実施形態２におけるプリンタのトナー像形成及びトナー像転写の機能を説明するための二次転写部近傍の構成を模式的に簡略に示す図である。尚、図４には図２と同一構成部分には図２と同一の番号を付与して示している。
【００６７】
ここで図４と図２の構成上の違いは、図４では、図２の二次転写ローラ３６に代わって駆動ローラ５３と従動ローラ５４に掛け渡されて図の時計回り方向に循環駆動される二次転写ベルト５５が配置され、この二次転写ベルト５５の近傍に二次転写ベルト５５のトナー濃度を検出する濃度センサ５６が配置されていることである。
【００６８】
また、制御部５０は、図１に示す画像形成部１２の各画像形成ユニット１６（図４では代表的に感光体ドラム１７で示している）に対し外部からの画像信号による通常の画像形成の制御に加えて、制御信号線５７によりトナー現像電圧又はトナー供給電圧を調整する構成となっていることである。
【００６９】
本例では、実施形態１の場合と同様に、中間転写ベルト２４上に一次転写ローラ２８による一次転写で形成されたトナー像が、従動ローラ２６が配置されている二次転写位置に到達すると、そのトナー像が二次転写ベルト５５により用紙に転写されるように構成されている。
【００７０】
通常、電子写真方式の画像形成装置では、Ｙ、Ｍ、Ｃ、Ｋの画像形成ユニット各々のトナー像の現像濃度を均一化するために、電源投入時や消耗品交換時などに、自動もしくはオペレータによる選択によって、濃度調整を行うことが一般的である。
【００７１】
図４に示す構成において、上記の濃度調整時に、中間転写ベルト２４上に一次転写された現像濃度測定用のトナー像は二次転写ベルト５５に二次転写される。濃度センサ５６は、その二次転写ベルト５５に二次転写されたトナー像の濃度を測定して、その測定結果である濃度測定情報を制御部５０に通知する。
【００７２】
制御部５０は、濃度センサ５６から送られた濃度測定情報に応じて、Ｙ、Ｍ、Ｃ、Ｋの画像形成ユニット各々のトナー像が、二次転写ベルト５５上で均一となるように、現像ローラ２３のトナー現像電圧、あるいは現像ローラ２３にトナーを供給するトナー供給ローラのトナー供給電圧を調整する。これにより、用紙に二次転写される画像の濃度の均一化が可能となる。
【００７３】
一方、図１に示す用紙取出ローラ３２により給紙カセット３１から取り出された用紙に対しては、実施形態１の場合と同様に、その抵抗値に応じた二次転写電圧が印加される。すなわち、トナー濃度の最適化された中間転写ベルト２４上のトナー画像は、用紙毎に最適化された二次転写電圧によって用紙へ転写される。
【００７４】
この実施形態２によれば、二次転写ベルト上に二次転写されたトナー像の濃度が均一となるよう、トナー現像電圧やトナー供給電圧などを調整するようにしたことにより、転写ムラのない均一な濃度の画像が用紙上に得られる、という効果がある。
【００７５】
（実施形態２の変形例）
上記の実施形態２では、Ｙ、Ｍ、Ｃ、Ｋの画像形成ユニット各々のトナー濃度の均一化のために、トナー現像電圧あるいはトナー供給電圧を調整するように構成したが、トナー濃度の均一化の調整は、これに限ることなく、例えば、一次転写電圧を可変させて調整してもよく、更には、光書き込み装置の書き込み時間や光書き込み強度を可変させて調整するようにしてもよい。
【００７６】
（実施形態３）
ところで、上述した一次転写ローラ２８や二次転写ローラ３６などのトナー像転写用ローラは、一般に、導電性の芯金の周囲に導電性弾性体を被覆している。
【００７７】
一般に導電性弾性体は、その特性上、他部材との圧接により抵抗値に変化を生じる。トナー像転写用ローラは、表面が弾性体であること、直径に比較して回転軸が長いこと、及び回転軸の両端によって被転写体側に押圧されることが原因となって、両端部と中央部では、中央部では低抵抗の特性を示し両端部では高抵抗の特性を示す。
【００７８】
図５(a) は、そのような導電性の芯金の周囲に導電性弾性体を被覆して成るトナー像転写用ローラ５８の側面図であり、同図(b) はこのトナー像転写用ローラ５８が被転写体側に圧接した時の抵抗特性（抵抗分布）を示す図である。
【００７９】
同図(b) は、横軸にトナー像転写用ローラ５８の長手方向の位置を示し、縦軸に電気抵抗値を示している。同図(b) に示すように、トナー像転写用ローラ５８は、中央部で低抵抗、両端部で高抵抗となる特性を示している。
【００８０】
このように中央部と両端部に抵抗差があると、トナー像転写用ローラ５８に一定の電圧を印加してトナー像の転写を行っても、ローラ軸の長手方向で転写電流値が異なってくるためその長手方向全長にわたる均一な転写性が得られない。
【００８１】
そこで均一な転写性を得るために、つまりトナー像転写用ローラの長手方向の抵抗分布を均一化するために、トナー像転写用ローラの長手方向に、導電率の異なる導電性弾性部材を分割配置する方法が知られている。
【００８２】
ところが、この方法では、分割配置される導電率の異なる導電性弾性体の導電率のバラツキによって、なかなか均一な抵抗分布になりにくいという問題が残されていた。
【００８３】
そこで、本実施形態では、導電性芯金上に導電性弾性体が配置されたトナー像転写用ローラにおいて、導電性芯金の長手方向中心部から端部へいくに従って異なる間隔で絶縁部材を配置することで、ローラ軸長手方向の抵抗分布を均一化させる。
【００８４】
図６(a) は、本実施形態におけるトナー像転写用ローラ６０の側断面図であり、同図(b) はトナー像転写用ローラ６０が被転写体側に圧接した時の抵抗特性（抵抗分布）を示す図である。同図(b) は、横軸にトナー像転写用ローラ６０の長手方向の位置を示し、縦軸に電気抵抗値を示している。
【００８５】
図６(a) に示すように、本例のトナー像転写用ローラ６０は、導電性芯金６１の表面に絶縁部材６２（６２−１、６２−２、６２−３）が配置されており、その上から導電性芯金６１のほぼ全長にわたって導電性弾性体６３が被覆されている。
【００８６】
これら導電性芯金６１と絶縁部材６２との固定、及びこれら両者と導電性弾性体６３との固定は、例えばプライマー等により接着されて固定されている。
【００８７】
絶縁部材６２の配置間隔はローラ軸の長手方向の中心に対し左右対称配置となっている。また、複数箇所に配置された絶縁部材６２の間隔は、ローラ中心と端部とで異なり、中心から端部へいくに従い間隔が大きくなるように配置されている。
【００８８】
すなわち、図６(a) において、中央部の絶縁部材６２−１と、それより端部側の絶縁部材６２−２との間隔をｄ１、絶縁部材６２−２と、更にそれよりも端部側の絶縁部材６２−３との間隔をｄ２、絶縁部材６２−３と、最端部の絶縁部材６２−４との間隔をｄ３とすると、ｄ３＞ｄ２＞ｄ３の関係となるように配置されている。
【００８９】
図６(b) は、上記の構成のトナー像転写用ローラ６０のローラ軸長手方向の抵抗分布を示している。図６(b) に示すように、ローラ端部と中央部ともに均一な抵抗分布を示している。
【００９０】
尚、ローラ表面に被覆する導電性弾性体６３の導電率が上記と異なる場合でも、絶縁部材６２の配置間隔ｄ１、ｄ２、ｄ３を可変させることで、常にローラ端部と中央部ともに均一な抵抗分布を得ることが可能である。
【００９１】
本実施の形態によれば、トナー像転写ローラの導電性芯金に絶縁部材を配置し、表面に使用される導電性弾性体の導電率に応じて、絶縁部材の配置間隔を変更するようにしたことにより、ローラ軸長手方向での抵抗分布を均一に出来るという効果がある。
【図面の簡単な説明】
【００９２】
【図１】実施形態１における二次転写部を備えたカラー画像形成装置（プリンタ）の内部構成を説明する断面図である。
【図２】実施形態１における構成のプリンタにおける二次転写の機能を説明するための二次転写部近傍の構成を模式的に簡略に示す図である。
【図３】実施形態１におけるプリンタの二次転写部における画像形成媒体への二次転写電圧印加の動作を説明するフローチャートである。
【図４】実施形態２におけるプリンタのトナー像形成及びトナー像転写の機能を説明するための二次転写部近傍の構成を模式的に簡略に示す図である。
【図５】(a) は導電性の芯金の周囲に導電性弾性体を被覆して成るトナー像転写用ローラの側面図、(b) は被転写体側に圧接した時の抵抗特性（抵抗分布）を示す図である。
【図６】(a) は実施形態３におけるトナー像転写用ローラの側断面図、(b) はトナー像転写用ローラが被転写体側に圧接した時の抵抗特性（抵抗分布）を示す図である。
【符号の説明】
【００９３】
１０    カラー画像形成装置（プリンタ）
１２    画像形成部
１３    中間転写ベルトユニット
１４    給紙部
１５    両面印刷用搬送ユニット
１６（１６Ｍ、１６Ｃ、１６Ｙ、１６Ｋ）  画像形成ユニット
１７（１７ｍ、１７ｃ、１７ｙ、１７ｋ）  感光体ドラム
１８    クリーナ
１９    帯電ローラ
２１    光書込ヘッド
２２    現像器
２３    現像ローラ
２４    中間転写ベルト
２５    駆動ローラ
２６    従動ローラ
２６−１  回転軸
２７    ベルト位置制御機構
２８    一次転写ローラ
２９    廃トナー回収容器
３１    給紙カセット
３２    用紙取出ローラ
３３    給送ローラ
３４    捌きローラ
３５    待機搬送ローラ対
３６    二次転写ローラ
３６−１  回転軸
３７    ベルト式定着装置
３８    搬出ローラ対
３９    排紙トレー
４１    排紙ローラ対
４２ａ  開始返送路
４２ｂ  中間返送路
４２ｃ  終端返送路
４３ａ、４３ｂ、４３ｃ、４３ｄ  返送ローラ対
４５    クリーニング部
４６    取り込みローラ
４７    押圧ローラ
４８    一次転写電圧発生回路
４９    媒体抵抗検出回路
５０    制御部
５１    二次転写電圧発生回路
５２    記憶部
５３    駆動ローラ
５４    従動ローラ
５５    二次転写ベルト
５６    濃度センサ
５７    制御信号線
５８    トナー像転写用ローラ
６０    トナー像転写用ローラ
６１    導電性芯金
６２（６２−１、６２−２、６２−３、６３−４）  絶縁部材
６３    導電性弾性体
【図３】
2009192643.tif 000003
【図４】
2009192643.tif 000004
【図１】
2009192643.tif 000005
【図２】
2009192643.tif 000006
【図５】
2009192643.tif 000007
【図６】
2009192643.tif 000008